【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
ＥＣＧ信号からアーチファクトをリアルタイムでフィルタリングするフィルタ装置であって、前記フィルタ装置は、
心臓組織の物理的インパルスを表わすＥＣＧ信号を検知する手段と；
生理的機能を表わすアーチファクト信号を検知する手段と；
区分ステッチング適合アルゴリズムを用いることによって、前記ＥＣＧ信号から前記アーチファクト信号を除去する手段と
を備えることを特徴とする、フィルタ装置。
【請求項２】
前記区分ステッチング適合アルゴリズムは、
前記ＥＣＧ信号と前記アーチファクト信号から信号試料窓を選択する手段と；
選択された前記信号試料窓に基づき前記ＥＣＧ信号から１次ＥＣＧ信号セグメントと、前記アーチファクト信号から１次アーチファクト信号セグメントとを生成する手段と；
前記１次ＥＣＧ信号セグメントと１次アーチファクトセグメントの間の関係を測定する手段と；
測定された前記関係に基づき前記１次ＥＣＧ信号セグメントにおけるＥＣＧ信号アーチファクトを推定する手段と；
前記１次ＥＣＧ信号セグメントから、推定された前記ＥＣＧ信号アーチファクトを除去する手段と
を備える、請求項１記載のフィルタ装置。
【請求項３】
ＥＣＧ信号からＣＰＲ圧迫アーチファクトをリアルタイムでフィルタリングするように構成されたプロセッサを有するフィルタ装置であって、前記フィルタ装置は、
心臓組織の物理的インパルスを表わすＥＣＧ信号を検知するＥＣＧセンサと；
生理的機能を表わすアーチファクト信号を検知するアーチファクトセンサと；
前記アーチファクト信号によってもたらされたＥＣＧ信号アーチファクトを計算するためと、区分ステッチング適合アルゴリズムを利用して前記ＥＣＧ信号から前記ＥＣＧ信号アーチファクトを除去するためとにプログラムされた、前記ＥＣＧセンサと前記アーチファクトセンサに連結された区分ステッチング適合アルゴリズムプロセッサと
を備える、フィルタ装置。
【請求項４】
前記区分ステッチング適合アルゴリズムプロセッサは、前記区分ステッチング適合アルゴリズムプロセッサに動作可能に連結されたメモリに記憶された命令を実行するように構成され、前記命令は、
前記ＥＣＧ信号と前記アーチファクト信号から信号試料窓を選択することと；
前記ＥＣＧ信号から１次ＥＣＧ信号セグメントと、前記アーチファクト信号から１次アーチファクト信号セグメントとを生成することと；
前記１次ＥＣＧ信号セグメントと１次アーチファクト信号セグメントの間の関係を測定することと；
測定された前記関係に基づき１次信号における信号アーチファクトを推定することと；
前記１次ＥＣＧ信号セグメントから、推定された前記信号アーチファクトを除去することと
を有する、請求項３記載のフィルタ装置。
【請求項５】
ＥＣＧ信号から信号アーチファクトをリアルタイムでフィルタリングするマシン実行プロセスとしての動作方法であって、前記動作方法は、
心臓組織の物理的インパルスを表わすＥＣＧ信号をＥＣＧセンサで検知することと；
生理的機能を表わすアーチファクト信号をアーチファクトセンサで検知することと；
クリーンなＥＣＧ信号を生成するため、区分ステッチング適合アルゴリズムを用いることによって前記ＥＣＧ信号から前記信号アーチファクトを自動的に除去すべく、前記ＥＣＧセンサと前記アーチファクトセンサに連結された区分ステッチング適合アルゴリズムプロセッサを用いることと
を有する、動作方法。
【請求項６】
区分ステッチングアルゴリズムを用いることによって、前記ＥＣＧ信号から前記信号アーチファクトを自動的に除去すべく、前記ＥＣＧセンサと前記アーチファクトセンサに連結された区分ステッチング適合アルゴリズムプロセッサを用いることは、
前記ＥＣＧ信号から第１信号試料窓と、前記アーチファクト信号から第２信号試料窓とを選択することと；
前記第１信号試料窓から１次ＥＣＧ信号セグメントと、前記第２信号試料窓から１次アーチファクト信号セグメントとを生成することと；
前記１次ＥＣＧ信号セグメントと前記１次アーチファクト信号セグメントの間の関係を測定することと；
前記関係に基づき前記１次ＥＣＧ信号セグメントにおける信号アーチファクトを推定することと；
前記１次ＥＣＧ信号セグメントから、推定された前記信号アーチファクトを除去することと
を有する、請求項５記載の動作方法。
【請求項７】
前記動作方法は、更にショック性ＥＣＧ調律を同定すべく調律分析アルゴリズムプロセッサを用いることを有する、
請求項５記載の動作方法。
【請求項８】
アーチファクトセンサで物理的インパルスを表わすアーチファクトを検知すると、
区分ステッチング適合アルゴリズムを用いることによって前記ＥＣＧ信号から前記信号アーチファクトを自動的に除去すべく、前記区分ステッチング適合アルゴリズムプロセッサを起動する、
請求項５記載の動作方法。
【請求項９】
前記ＥＣＧ信号から前記第１信号試料窓と、前記アーチファクト信号から前記第２信号試料窓とを選択することは、
更に前記ＥＣＧ信号と前記アーチファクト信号の間の時間遅延に依存して均一な大きさと不均一な大きさの信号試料窓からなる群から選択された信号試料窓を選択することを有する、
請求項６記載の動作方法。
【請求項１０】
前記ＥＣＧ信号から前記第１信号試料窓と、前記アーチファクト信号から前記第２信号試料窓とを選択することは、
更に整合性の開始時間と終了時間を用いて、前記第１と第２の信号試料窓を選択することを有する、
請求項６記載の動作方法。
【請求項１１】
前記ＥＣＧ信号から前記第１信号試料窓と、前記アーチファクト信号から前記第２信号試料窓とを選択することは更に、
非整合性の信号試料窓開始時間と信号試料窓終了時間を用いて、前記第１と第２の信号試料窓を選択することを有する、
請求項６記載の動作方法。
【請求項１２】
前記ＥＣＧ信号から前記第１信号試料窓と、前記アーチファクト信号から前記第２信号試料窓とを選択することは、
更に適合インデキシングとセグメント別回帰からなる群から選択された信号試料窓開始時間と信号試料窓終了時間を示す方法を利用することを有する、
請求項６記載の動作方法。
【請求項１３】
前記ＥＣＧ信号から前記第１信号試料窓と、前記アーチファクト信号から前記第２信号試料窓とを選択することは更に、
前記ＥＣＧ信号と前記アーチファクト信号を自己相関させることと；
前記ＥＣＧ信号と前記アーチファクト信号を相互相関させることと；
信号試料窓開始時間と信号試料窓終了時間を測定すべく適合インデキシング法を利用することと
を有する、
請求項６記載の動作方法。
【請求項１４】
区分ステッチング適合アルゴリズムを用いて前記ＥＣＧ信号から前記信号アーチファクトを自動的に除去すべく、前記ＥＣＧセンサと前記アーチファクトセンサに連結された区分ステッチング適合アルゴリズムプロセッサを用いることは更に、
シフト自己相関計算を用いて前記ＥＣＧ信号と前記アーチファクト信号の間の位相リードまたは位相ラグを推定することを有し、
前記位相リードまたは前記位相ラグの計算は、更なる信号試料窓を選択すべくメモリに記憶されることを有する、
請求項５記載の動作方法。
【請求項１５】
区分ステッチング適合アルゴリズムを用いて前記ＥＣＧ信号から前記信号アーチファクトを自動的に除去すべく、前記ＥＣＧセンサと前記アーチファクトセンサに連結された区分ステッチング適合アルゴリズムプロセッサを用いることは更に、
均等重付けと中央セグメント重付けからなる群から選択された重付法で１次と２次の信号セグメントを重付けすること
を有する、
請求項５記載の動作方法。
【請求項１６】
前記アーチファクト信号は、ＣＰＲ圧迫信号と血液動態信号からなる群から選択される
、
請求項５記載の動作方法。
【請求項１７】
前記アーチファクト信号は、前記ＥＣＧ信号に帯域フィルタを適用することによって生成される、
請求項５記載の動作方法。
【請求項１８】
前記アーチファクト信号は、等級を生成すべく、時間領域推定を用いることによって等級付けられ、
前記時間領域推定は、ゼロ交差とピークピーク振動からなる群から選択される、
請求項５記載の動作方法。
【請求項１９】
前記等級は、信号対ノイズ比の品質を示すと共に更なる調律同定の信頼基準を提供する、
請求項１８記載の動作方法。
【請求項２０】
前記動作方法は更に、前記ＥＣＧ信号と前記アーチファクト信号のノイズ除去を有する、
請求項６記載の動作方法。